(57)【要約】【課題】収納するカートリッジの数が増加しても、当該カートリッジを効率よく収納することができるカートリッジ収納マガジン提供すること。【解決手段】磁気テープ等のテープを収納したカートリッジＫを同一面上に縦列方向に収納するマガジン本体１１と、このマガジン本体１１内のカートリッジＫを外側へ押し出すカートリッジ押出機構１２と、マガジン本体１１内に収納されたカートリッジＫを係止する係止機構２０とを有する。そして、カートリッジ押出機構１２を、マガジン本体１１内の深部背面板１１Ａに一端部が保持され他端部が前記カートリッジＫを内側から外側に向けて押圧するばね機構部１５と、このばね機構部１５の他端部に連結され前記ばね機構部１５の押圧力をカートリッジＫに伝えるカートリッジ押圧部材１９とを備えた構成とし、前記ばね機構部１５を、円錐コイルばね１６を主体として構成したこと。【選択図】図１
2010211890.tif 000002
【特許請求の範囲】
【請求項１】
磁気テープ等のテープを収納したカートリッジを同一面上に縦列方向に収納するマガジン本体と、このマガジン本体内に収納されるカートリッジを内側から外側に向けて押し出すカートリッジ押出機構と、このカートリッジ押出機構の押出動作に抗して前記マガジン本体内に収納されたカートリッジを係止する機能を備えたカートリッジ係止機構とを有するカートリッジ収納マガジンにおいて、
前記カートリッジ押出機構を、
前記マガジン本体内の深部背面板に一端部が保持され他端部が前記カートリッジを内側から外側に向けて押圧するばね機構部と、このばね機構部の他端部に連結され前記ばね機構部の押圧力を前記カートリッジに伝えるカートリッジ押圧部材とを備えた構成とし、
前記ばね機構部を、円錐コイルばねを主体として構成したことを特徴とするカートリッジ収納マガジン。
【請求項２】
請求項１に記載のカートリッジ収納マガジンにおいて、
前記ばね機構部を、単一の円錐コイルばねにより構成したことを特徴とするカートリッジ収納マガジン。
【請求項３】
請求項１に記載のカートリッジ収納マガジンにおいて、
前記ばね機構部を、前記マガジン本体内に併設された少なくとも二つの円錐コイルばねにより構成したことを特徴とするカートリッジ収納マガジン。
【請求項４】
請求項１に記載のカートリッジ収納マガジンにおいて、
前記ばね機構部を、前記深部背面板側に配置した第１の円錐コイルばねと、この第１の円錐コイルばねの前記カートリッジ側に配置された中継押圧部材と、この中継押圧部材と前記カートリッジ押圧部材との間に配置された第２の円錐コイルばねとを含む構成としたことを特徴とするカートリッジ収納マガジン。
【請求項５】
請求項４に記載のカートリッジ収納マガジンにおいて、
前記第１の円錐コイルばね及び前記第２の円錐コイルばねを、それぞれ単一の円錐コイルばねにより構成したことを特徴とするカートリッジ収納マガジン。
【請求項６】
請求項５に記載のカートリッジ収納マガジンにおいて、
前記第１，第２の各円錐コイルばねを、前記マガジン本体内を移動するカートリッジの移動方向に沿った中心線上に縦列に配置したことを特徴とするカートリッジ収納マガジン。
【請求項７】
請求項４に記載のカートリッジ収納マガジンにおいて、
前記第１の円錐コイルばねを、併設された少なくとも二つの円錐コイルばねにより構成したことを特徴とするカートリッジ収納マガジン。
【請求項８】
請求項３又は７に記載のカートリッジ収納マガジンにおいて、
前記二つの円錐コイルばねを、前記マガジン本体内を移動するカートリッジの中心線に対してそれぞれ線対象の位置に配置したことを特徴とするカートリッジ収納マガジン。
【請求項９】
請求項１乃至７の何れか一つに記載のカートリッジ収納マガジンにおいて、
前記円錐コイルばねにあっては、その大円部側である一端部を前記マガジン本体の深部背面板側に向けて配置すると共に、前記円錐コイルばねの小円部側である他端部を前記カートリッジ側に向けてそれぞれ前記マガジン本体内に配置したことを特徴とするカートリッジ収納マガジン。
【請求項１０】
請求項１乃至７の何れか一つに記載のカートリッジ収納マガジンにおいて、
前記円錐コイルばねにあっては、その小円部側である他端部を前記マガジン本体の深部背面板側に向けて配置すると共に、前記円錐コイルばねの大円部側である一端部を前記カートリッジ側に向けてそれぞれ前記マガジン本体内に配置したことを特徴とするカートリッジ収納マガジン。
【請求項１１】
請求項４乃至７の何れか一つに記載のカートリッジ収納マガジンにおいて、
前記第１の円錐コイルばねと第２の円錐コイルばねを構成する各円錐コイルばねとを、前記中継押圧部材を介してそれぞれ逆向きに配置したことを特徴とするカートリッジ収納マガジン。
【請求項１２】
請求項１乃至７の何れか一つに記載のカートリッジ収納マガジンにおいて、
前記マガジン本体の内壁部分に、前記カートリッジ押圧部材の移動を案内する凹状案内溝を設けると共に、この凹状案内溝に沿って摺動する角形突起を前記カートリッジ押圧部材に設けたことを特徴としたカートリッジ収納マガジン。
【請求項１３】
請求項１乃至７の何れか一つに記載のカートリッジ収納マガジンにおいて、
前記マガジン本体の内壁部分に、前記カートリッジ押圧部材の移動を案内する凹状案内溝を設けると共に、この凹状案内溝に沿って摺動する角形突起を前記カートリッジ押圧部材に設け、
前記凹状案内溝を、前記マガジン本体の幅広の一方の内壁部分に所定間隔を隔てて二条設けると共に当該各凹状案内溝を前記マガジン本体の中心線に対して線対称の位置に配設したことを特徴とするカートリッジ収納マガジン。
【請求項１４】
請求項４乃至７の何れか一つに記載のカートリッジ収納マガジンにおいて、
前記マガジン本体の内壁部分に、前記カートリッジ押圧部材の移動を案内する凹状案内溝を設けると共に、この凹状案内溝に沿って摺動する角形突起を前記カートリッジ押圧部材および前記中継押圧部材にそれぞれ設け、
前記凹状案内溝を、前記マガジン本体の幅広の一方の内壁部分に所定間隔を隔てて二条設けると共に当該各凹状案内溝を前記マガジン本体の中心線に対して線対称の位置に配設したことを特徴とするカートリッジ収納マガジン。
【発明の詳細な説明】
【技術分野】
【０００１】
本発明は、カートリッジ収納マガジンに係り、特に、磁気テープ等のテープを収納したカートリッジを同一面上に縦列方向に収納する取り出し自在構造のカートリッジ収納マガジンに関する。
【背景技術】
【０００２】
本発明におけるカートリッジ収納マガジンに直接関連する関連技術の一例を、図１４（Ａ）（Ｂ）乃至図１５に示す。
ここで、図１４（Ａ）（Ｂ）に示す関連技術は、磁気テープ等のテープを収納した偏平型のカートリッジＫ（又はＫ１，Ｋ２）を同一面上に縦列方向に例えば２個収納するマガジン本体１０１と、このマガジン本体１０１内に収納されるカートリッジＫ１，Ｋ２を一端部に設けられた開口部から外側（同図の右方向）に向けて押し出すカートリッジ押出機構１０２と、このカートリッジ押出機構１０２の押出動作に抗して前記マガジン本体１０１内に収納されたカートリッジを係止する機能を備えたカートリッジ係止機構（図１４乃至図１５では省略）とを備えている。
【０００３】
この内、カートリッジ押出機構１０２は、カートリッジＫ（又はＫ１，Ｋ２）を押し出すために圧縮コイルばね１０２Ａと、前記カートリッジＫ（又はＫ１，Ｋ２）を押し出すための前記圧縮コイルばね１０２Ａの押圧端側に装備した押圧部材としてのトグル１０２Ｂとを備え、このトグル１０２Ｂを介して圧縮コイルばね１０２Ａの圧縮力を、その伸張動作と共にカートリッジＫに伝達し、これによってカートリッジＫ（又はＫ１，Ｋ２）を外部へ押し出す構造となっている。
【０００４】
図１４（Ｂ）は、図１４（Ａ）において、カートリッジＫ１，Ｋ２の二巻を収納し、圧縮コイルばね１０２Ａが圧縮された状態を示す。図１５は、前述した図１４（Ｂ）に示す構成において、カートリッジＫ１，Ｋ２，Ｋ３の三巻を収納し、この各カートリッジＫ１，Ｋ２，Ｋ３によって圧縮コイルばね１０２Ａが圧縮されている状態を示す。
【０００５】
また、上記カートリッジ収納マガジンの他の関連技術を、図１６（Ａ）（Ｂ）乃至図１７に示す。
この内、図１６（Ａ）では、前述した図１４（Ｂ）に示す関連技術で開示されている圧縮コイルばね１０２Ａを用いたカートリッジ押出機構１０２に代えて、薄板ばね部材から成る薄板巻取りばね２０２Ａをリール２０２Ｂに巻きつけたものが使用され、この薄板巻取りばね２０２Ａが直線状に引き伸ばされたときにリール２０２Ｂに巻き戻ろうとする引張力が発生し、これを利用して、カートリッジＫ１，Ｋ２をマガジン本体２０１の内側から押し出す（引き出す）構造となっている。
【０００６】
図１６（Ｂ）に、上記図１６（Ａ）の構成においてカートリッジＫ１，Ｋ２の二巻を収納した状態を示す。又、図１７は、図１６（Ｂ）に示す構成において三巻のカートリッジＫ１，Ｋ２，Ｋ３を収納した状態を示す。ここで、符号２０３は開放可能に構成されたカートリッジ係止機構を示す。
【０００７】
一方、カートリッジ収納マガジンについては、特許文献１，２に示すように従来より種々の形式のものは開発されている。
この内、特許文献１に開示されたものは、ディスクカートリッジ内に装備されたディスクブレーキ機構のブレーキ力を、円錐型コイルばねによって確保しようとするものであり、通常のコイルばねの特性と同等のばね力を有効利用したものとなっている。
【０００８】
又、特許文献２に開示されたものは、引き出し自在のトレイ上に奥行き方向に向けて複数のカートリッジ（マガジンラック）を収納する構造のものであり、各カートリッジ（マガジンラック）の着脱に際しては、オペレータがトレイを引き出して複数のカートリッジ全体を露出させ、これにより自在に着脱可能な構造となっている。
【先行技術文献】
【特許文献】
【０００９】
【特許文献１】特開２００３−０３０９４７
【特許文献２】特開平０８−３２９６３８
【発明の概要】
【発明が解決しようとする課題】
【００１０】
しかしながら、上述した図１４（Ａ）（Ｂ）乃至図１５に示すに示す関連技術にあっては、次のような課題がある。
図１５（カートリッジ３個の例）に示すように、カートリッジＫの収納巻数が増加すると、カートリッジＫを移動させる距離が増加することから、圧縮コイルばね１０２Ａの圧縮された状態で必要とするばね収納スペースＳＰ２を、例えばカートリッジ２個の図１６（Ｂ）に示す圧縮コイルばね１０２Ａのばね収納スペースＳＰ１の場合よりも長くする必要がある。従って、カートリッジの収納巻数が増加することによって、圧縮コイルばね１０２Ｂが長くなるため、図１５に示すＹ方向の奥行き寸法（コイルばね収納スペース）が増加し、マガジン本体１０１の長さが必然的に長くなり、カートリッジの収納効率が低下するという不都合が生じる。
【００１１】
また、上述した図１６（Ａ）（Ｂ）乃至図１７に示す他の関連技術にあっては、次のような課題がある。
即ち、図１７に示すようにカートリッジの収納巻数が増加すると、カートリッジＫの移動距離が増加することから、薄板巻きばね２０２Ａは、図１６（Ｂ）の板状の巻きばね２０２Ａより長くする必要が生じる。このため、板状巻きばね２０２Ａをリール２０３に巻き付けた状態ではその全体の直径が、図１６（Ｂ）に示すリール２０２Ｂの直径よりも大きくなる。このため、図１７に示すＸ方向の高さ寸法が必然的に増加し、マガジン全体ではその厚さが厚くなり、これがため、カートリッジの収納効率が低下するという不都合が生じる。
【００１２】
更に、上記特許文献１のものは、限られた狭いスペースを有効利用する点では有効ではあるが、一方、技術的にはディスクブレーキのブレーキ力として円錐型コイルばねを利用しようとするものであり、かかる技術的思想は、本発明では特に必要なものではない異質のものであり、本発明とは無関係なものとなっている。このため、この特許文献１のものにあっては上記課題は何ら解消するものではない。
【００１３】
又、上記特許文献２のものは、各カートリッジ（マガジンラック）の着脱に際しては、オペレータがトレイを引き出して複数のカートリッジを露出させ、これにより自在に着脱可能な構造となっており、かかる技術思想にあっては、カートリッジ（マガジンラック）の着脱に円錐型コイルばねを利用する必然性は全く存在しない。また、引き出し自在のトレイの自動化に際しても、円錐型コイルばねを利用する必然性はない。
【００１４】
このため、この特許文献２のものを導入しても、或いはこの特許文献２のものと上記特許文献１のものとを一体化しても、前述した不都合を何ら改善することができない。
【００１５】
（発明の目的）
本発明は、収納するカートリッジの数が増加しても、カートリッジの収納効率を低下させることなく当該カートリッジを効率よく収納することができるカートリッジ収納マガジン提供することを、その目的とする。
【課題を解決するための手段】
【００１６】
上記目的を達成するため、本発明にかかるカートリッジ収納マガジンは、磁気テープ等のテープを収納したカートリッジを同一面上に縦列方向に収納するマガジン本体と、このマガジン本体内に収納されるカートリッジを内側から外側に向けて押し出すカートリッジ押出機構と、このカートリッジ押出機構の押出動作に抗して前記マガジン本体内に収納されたカートリッジを係止する機能を備えたカートリッジ係止機構とを有するカートリッジ収納マガジンにおいて、前記カートリッジ押出機構を、前記マガジン本体内の深部背面板に一端部が保持され他端部が前記カートリッジを内側から外側に向けて押圧するばね機構部と、このばね機構部の他端部に連結され前記ばね機構部の押圧力を前記カートリッジに伝えるカートリッジ押圧部材とを備えた構成とし、前記ばね機構部を、円錐コイルばねを主体として構成したことを特徴とする。
【発明の効果】
【００１７】
本発明は、上述したように円錐コイルばねの特性を有効に利用した構成を採用したので、これによると、カートリッジの収納数が増加しても、カートリッジの収納効率を高めることができ、同時にマガジン本体の小型化を成し得るという優れたカートリッジ収納マガジンを提供することができる。
【図面の簡単な説明】
【００１８】
【図１】本発明にかかるカートリッジ収納マガジンの第１実施形態を示す一部切り欠いた斜視図である。
【図２】図１に開示したカートリッジ収納マガジンの円錐コイルばね部分を含む縦断面図である。
【図３】図２におけるカートリッジ収納マガジンの円錐コイルばね部分を示す拡大部分断面図である。
【図４】図１に開示したカートリッジ収納マガジンにあってカートリッジを収納した場合の状態を示す縦断面図である。
【図５】図２におけるI−I線に沿った断面図である。
【図６】図４におけるII−II線に沿った断面図である。
【図７】本発明にかかるカートリッジ収納マガジンの第２実施形態を示す縦断面図である。
【図８】本発明にかかるカートリッジ収納マガジンの第３実施形態を示す縦断面図である。
【図９】図８におけるIII−III線に沿った断面図である。
【図１０】図９に開示したカートリッジ収納マガジンにあってカートリッジを収納した場合の状態を示す縦断面図である。
【図１１】本発明にかかるカートリッジ収納マガジンの第４実施形態を示す説明図である。
【図１２】本発明にかかるカートリッジ収納マガジンの第５実施形態を示す説明図である。
【図１３】本発明にかかるカートリッジ収納マガジンの第６実施形態を示す説明図である。
【図１４】本発明にかかるカートリッジ収納マガジンと関連する技術の例を示す図で、図１４（Ａ）は圧縮コイルばねを装備した例を示す説明図、図１４（Ｂ）は図１４（Ａ）の圧縮コイルばねのばね力に抗して二つのカートリッジを収納した場合の例を示す説明図である。
【図１５】図１４に開示した関連技術と同種のもので、カートリッジを三つ収納した場合の例を示す説明図である。
【図１６】本発明にかかるカートリッジ収納マガジンと関連する技術の他の例を示す図で、図１６（Ａ）は薄板状で巻き取り可能に形成された薄板巻きばねを装備した場合の例を示す説明図、図１６（Ｂ）は図１６（Ａ）の薄板巻きばねのばね力に抗して二つのカートリッジを収納した場合の例を示す説明図である。
【図１７】図１６に開示した関連技術と同種のもので、カートリッジを三つ収納した場合の例を示す説明図である。
【発明を実施するための形態】
【００１９】
本発明は、磁気テープ装置に搭載されるカートリッジを縦列方向に収納するマガジンにおいて、カートリッジを押し出す機構に円錐コイルばねを使用し、これにより、円錐コイルばねの特性であるばねの収縮率の高さを利用して、カートリッジの収納効率を向上させたことを特徴としている。以下、これについて、添付図面を参照して詳細に説明する。
【００２０】
〔第１の実施形態〕
本発明にかかるカートリッジ収納マガジンの第１実施形態を、図１乃至図６に基づいて説明する。
【００２１】
（全体的構成）
図１，図２において、本第１実施形態におけるカートリッジ収納マガジン１０は、磁気テープ等のテープを収納した２個のカートリッジＫ１，Ｋ２を同一面上に縦列方向に収納するマガジン本体１１と、このマガジン本体１１内に収納されるカートリッジＫ１，Ｋ２を内側から外側に向けて同時に押し出すカートリッジ押出機構１２と、このカートリッジ押出機構１２の押出動作に抗してマガジン本体１１内に収納されたカートリッジＫ１，Ｋ２を係止する機能を備えたカートリッジ係止機構（止め具）２０と、を備えている。
【００２２】
ここで、本第１実施形態におけるカートリッジ収納マガジン１０は、形状が偏平状のカセット型に形成されたカートリッジＫ１，Ｋ２を収納することを意図して形成されている。このため、前述したマガジン本体１１は、内部にカートリッジを縦列方向に収納するため、全体的には収納方向に一定の長さを備えた偏平状の箱体に形成されている。
【００２３】
この内、カートリッジ押出機構１２は、マガジン本体１１内の深部に位置する背面板（深部背面板）１１Ａに一端部が保持され他端部が前記カートリッジＫ１，Ｋ２を内側から外側に向けて押圧するばね機構部１５と、このばね機構部１５の他端部に連結され当該ばね機構部１５の押圧力を前述したカートリッジＫ１，Ｋ２に伝えるカートリッジ押圧部材１９とを備えて構成されている。そして、上記ばね機構部１５は、後述するように、全体的には円錐体の形状を成す円錐コイルばねを主体として構成されている。
【００２４】
（ばね機構部の構成）
上記ばね機構部１５は、マガジン本体１１内の前記深部背面板１１Ａ側に配置された第１の円錐コイルばね１６と、この第１の円錐コイルばね１６の前述したカートリッジＫ１，Ｋ２側に配置された中継押圧部材（第１の補助板）１７と、この中継押圧部材（第１の補助板）１７と前述したカートリッジ押圧部材（第２の補助板）１９との間に配置された第２の円錐コイルばね１８とを備えて構成されている。
【００２５】
即ち、本実施形態における第１，第２の各円錐コイルばね１６，１８は、中継押圧部材１７を介してマガジン本体１１の中心線Ｌ上にて縦列した状態に配置され、その大円部側である各一端部がそれぞれ前記マガジン本体１１の深部背面板１１Ａ側に向けて配置され、その小円部側である他端部がそれぞれ前記カートリッジ押圧部材１９側に向けて配置されている。これにより、前述したように第１，第２の各円錐コイルばね１６，１８は、同一中心線Ｌ上にそれぞれ順方向に向けて縦列に配置されている。
【００２６】
ここで、この第１，第２の円錐コイルばね１６，１８は、それぞれ単一の円錐コイルばねにより構成されている。即ち、この第１，第２の各円錐コイルばね１６，１８は、その中心線が前記マガジン本体１１内を移動するカートリッジＫ１，Ｋ２の中心線Ｌと一致する状態にて、当該マガジン本体１１内に配置されている。
【００２７】
更に、上記第１の円錐コイルばね１６は、中継押圧部材１７をカートリッジＫ１側に常時押圧する状態に設定され組み込まれている。また、第２の円錐コイルばね１８は、自らのばね力および移送力に加えて中継押圧部材１７を介して伝達される第１の円錐コイルばね１６からの押圧力および移送力とを、前述したカートリッジ押圧部材１９を介してカートリッジＫ１に伝達するように組み込まれている。
【００２８】
このため、各円錐コイルばね１６，１８は、それぞれ中継押圧部材１７およびカートリッジ押圧部材１９をそれぞれその中心部でバランス良く押圧することができ、これにより、前述した２個のカートリッジＫ１，Ｋ２をマガジン本体１１の入り口側（矩形の開口部１１Ｂ）に向けて連携して押圧し移送するように機能する。
【００２９】
このように、ばね機構部１５を、上述した第１，第２の円錐コイルばね１６，１８を備えた構成としたので、本第１実施形態では、マガジン本体１１内に縦列配置された２個のカートリッジＫ１，Ｋ２を、内側から外部に向けて押し出す形態にて有効に送出することが可能となっている。
【００３０】
（円錐コイルばね部の取付構造）
前述した深部背面板１１Ａの中央部には、図２に示すように、上記第１の円錐コイルばね１６の一端部である大円部を係止するための凹部１１Ａａが設けられ、この凹部１１Ａａ内に、第１の円錐コイルばね１６の大円部側が図示しない係止機構によって固着されている。ここで、この凹部１１Ａａの深さ寸法は、第１の円錐コイルばね１６の素材の線径の例えば３倍の大きさに設定されている。
【００３１】
又、前述した中継押圧部材１７の前述した深部背面板１１Ａに対向する面の中央部には、第１の円錐コイルばね１６の他端部である小円部を係止するための小凹部１７ａが設けられ、この小凹部１７ａ内に、当該第１の円錐コイルばね１６の他端部である小円部が図示しない係止部材によって固着係止されている。
これにより、第１の円錐コイルばね１６はその両端部が深部背面板１１Ａとこれに対向する中継押圧部材１７とによって保持され安定した状態で中継押圧部材（第１の補助板）１７に対して所定の押圧動作を実行し得るようになっている。
【００３２】
同様にして、前述した中継押圧部材１７の前述したカートリッジ押圧部材（第２の補助板）１９に対向する面の中央部には、図２，図３に示すように、上記第２の円錐コイルばね１８の一端部である大円部を係止するための凹部１７ｂが設けられ、この凹部１７ｂ内に、当該第２の円錐コイルばね１８の大円部側が図示しない係止部材によって固着係止されている。ここで、この凹部１７ｂの深さ寸法は、第２の円錐コイルばね１８の素材の線径の例えば３倍程度の大きさに設定されている。
【００３３】
又、前述したカートリッジ押圧部材１９の前述した中継押圧部材１７に対向する面の中央部には、第２の円錐コイルばね１８の他端部である小円部を係止するための小凹部１９Ａが設けられ、この小凹部１９Ａ内に、当該第２の円錐コイルばね１８の他端部である小円部が図示しない係止機構によって固着係止されている。
これにより、第２の円錐コイルばね１８はその各端部が中継押圧部材１７とこれに対向するカートリッジ押圧部材１９とによってそれぞれ保持され安定した状態でカートリッジ押圧部材１９に対して所定の押圧動作を実行し得るようになっている。
【００３４】
そして、上述したように、本第１実施形態にあっては、カートリッジ押圧部材１９がその押圧面（カートリッジ当接面）の全面で前述したカートリッジＫ１を当接した状態で押圧するように構成されているので、当該カートリッジ押圧部材１９の厚さが薄い部材（例えば中継押圧部材１７の厚さよりも薄い部材）であっても、蛇行すること無く、当該カートリッジＫ１に密接した状態で当該カートリッジＫ１を押し出すことが可能な組合せ構造となっている。
【００３５】
（押圧部材用ガイド機構）
前述した中継押圧部材１７及びカートリッジ押圧部材１９は、前述したマガジン本体１１に形成された共通のガイド溝（凹状案内溝）１１Ｃｅ，１１Ｃｆに案内され且つ前述した第１，第２の各円錐コイルばね１６，１８に押圧された状態で、マガジン本体１１内を深部背面板１１Ａ側から開口部１１Ｂ側へ往復移動可能に構成されている。
【００３６】
このマガジン本体１１に形成された二本のガイド溝１１Ｃｅ，１１Ｃｆは、マガジン本体１１を構成する面積の大きい一方の側壁１１Ｃの内壁面に形成されている。具体的には、この二本のガイド溝１１Ｃｅ，１１Ｃｆは、図１に示すように断面形状がそれぞれ角形に形成され、前記カートリッジＫ１，Ｋ２の移動方向に沿った中心線Ｌに並行で且つ当該中心線Ｌに線対称の位置に、適度の間隔（Ｓ１＋Ｓ１）を隔てて、それぞれ形成されている。
【００３７】
尚、このガイド溝１１Ｃｅ，１１Ｃｆについては、カートリッジＫ１，Ｋ２の重心位置のずれに応じて、何れか一方の素面にずれた状態で設置してもよい。又、このガイド溝１１Ｃｅ，１１Ｃｆについては、本実施形態では二本のガイド溝１１Ｃｅ，１１Ｃｆを設けた場合を例示したが、一本でも或いは３本であってもよい。
【００３８】
この各二本のガイド溝１１Ｃｅ，１１Ｃｆに対応して、前述した中継押圧部材１７及びカートリッジ押圧部材１９の各々には、当該ガイド溝１１Ｃｅ，１１Ｃｆに係合する角形状の係合突起部（角形突起部）１７ｅ，１７ｆ，１９ｅ，１９ｆが、それぞれ設けられている。
【００３９】
そして、この内の一方の係合突起部１７ａ，１９ａが一方のガイド溝１１Ｃｅに共通に係合され、又他方の係合突起部１７ｂ，１９ｂが他方のガイド溝１１Ｃｆに共通に係合され、これによって、前述したように、中継押圧部材１７及びカートリッジ押圧部材１９はガイド溝１１Ｃｅ，１１Ｃｆに案内されて、マガジン本体１１内の往復移動を成し得るようになっている。
【００４０】
そして、この一方と他方の各ガイド溝１１Ｃｅ，１１Ｃｆ及びこれに係合する係合突起部１７ｅ，１９ｅ；１７ｆ，１９ｆは、それぞれ中継押圧部材（第１の補助板）１７及びカートリッジ押圧部材（第２の補助板）１９の移動を容易にし、更に円錐コイルばね１６，１８のねじれを防止するように機能する。
【００４１】
前述したマガジン本体１１の四角形状の矩形の開口部１１Ｂには、その短辺部の一方の側面１１Ｅに、止め具としてのカートリッジ係止機構２０が装備されている。
このカートリッジ係止機構２０は、前述したように、内部に収納されるカートリッジＫ１（又はＫ１，Ｋ２）が外部に飛び出るの係止するもので、断面Ｌ字状に形成された止め部材２０ａと、このＬ字状止め部材２０ａの係合離脱動作を許容しつつ当該止め部材２０ａを保持する部材保持片２０ｂとにより構成されている。図５において、符号ａ，ｂは止め部材２０ａの回動方向を示す。
【００４２】
ここで、カートリッジ係止機構２０の部材保持片２０ｂは、外力で曲折し又は曲折前の状態に自在に可変設定することが可能な素材のものが使用されている。このため、部材保持片２０ｂは、外力によって（オペレータの操作によって）部材保持片２０ｂが図５に示すようにカートリッジ係止状態に設定された場合（ａ方向）には、前述した第１，第２の各円錐コイルばね１６，１８の合力に対してもこれに有効に抗して、当該図５の状態を維持し得るように機能し、これにより当該カートリッジ係止状態が保持される。
【００４３】
一方、カートリッジＫ１（又はＫ１，Ｋ２）をカートリッジ係止状態から開放するには、外力によって部材保持片２０ｂを図５のｂ方向に曲折操作して図４の状態に設定すればよい。この場合、図１の状態で外力を解放すると、部材保持片２０ｂは図１の曲折状態を維持する。これによって、カートリッジＫ１（又はＫ１，Ｋ２）は、前述した第１，第２の各円錐コイルばね１６，１８によって付勢された状態で、図５の矢印Ｃ方向にその出し入れが自在に可能となっている。
【００４４】
（全体的な動作）
次に、上記第１実施形態におけるカートリッジ収納マガジンの全体的な動作について説明する。
【００４５】
まず、図１，図２に示すように、カートリッジＫ１（又はＫ１，Ｋ２）をマガジン本体１１内にその開口部１１Ｂから格納する。図２は、カートリッジＫ１をマガジン本体１１内に矢印Ａの方向から収納する場合で、最初にカートリッジＫ１を約２／３程度挿入した時の状態を示す。この図２，図４の状態にあっては、第１，第２の各円錐コイルばね１６，１８はそれぞれ同一の圧縮応力（反力）を外部に対して出力可能に形成されていることから、図２に示すように、それぞれがカートリッジＫ１によって等分の距離分、圧縮された状態を示す。
【００４６】
図４は、上記図２の矢印Ａの方向に更に外力を加えて第１，第２の各円錐コイルばね１６，１８を圧縮し、二個のカートリッジＫ１，Ｋ２をマガジン本体１１内に収納した状態を示す。
この場合、各円錐コイルばね１６，１８は、それぞれ一端部である大円部側に順次圧縮されて平坦に近い台形状となって、前述した凹部１１Ａａ，１７ｂ内に、それぞれ収納される。
【００４７】
上記図２，図４に示す二個のカートリッジＫ１，Ｋ２の収納過程にあって、カートリッジＫ１は、マガジン本体１１では最初にカートリッジ押圧部材１９に当接し、当該カートリッジ押圧部材１９を介して第２の円錐コイルばね１８の他方の端部を押圧し、その押圧力は当該第２の円錐コイルばね部１８及び中継押圧部材１７を介して第１の円錐コイルばね１６へ伝達され、当該第１，第２の各円錐コイルばね１６，１８が等分に押圧され同等に圧縮される。
【００４８】
この間、カートリッジＫ１，Ｋ２の挿入動作と共にカートリッジ押圧部材１９と中継押圧部材１７とが、マガジン本体１１側の共通のガイド溝１１Ｃｅ，１１Ｃｆに案内されて、マガジン本体１１内を、開口部１１Ｂ側から深部背面板１１Ａ側に向けてに移動し、各円錐コイルばね１６，１８がその中心線Ｌ上をずれることなく円滑に圧縮される。
【００４９】
そして、図４の状態になった場合に、オペレータは前述したカートリッジ係止機構２０を操作してＬ字状止め部材２０ａを図４の状態に設定し、これによってカートリッジＫ２を係止し、これによって、二個のカートリッジＫ１，Ｋ２がマガジン本体１１内に収納され係止された状態となる。
【００５０】
カートリッジＫ１，Ｋ２をマガジン本体１１内から取り出す場合には、まず、オペレータは係合状態にあるカートリッジ係止機構２０を操作してＬ字状止め部材２０ａを図４の状態から図５に状態に設定する。この場合、カートリッジＫ１，Ｋ２は、第１，第２の各円錐コイルばね１６，１８によってマガジン本体１１から一気に押し出されて、図５の状態（即ち、カートリッジＫ１を挿入し各円錐コイルばね１６，１８を押圧する直前の状態）に戻される。これにより、カートリッジＫ１も容易に外部に取り出すことができる。
【００５１】
（第１実施形態の効果）
本第１実施形態は、上述したように円錐コイルばねの特性を有効に利用した構成を採用したので、これによると、カートリッジＫ１，Ｋ２を収納した状態にあっては、円錐コイルばね１６，１８が有効に圧縮されてマガジン本体１１に深部に偏平した台形状に収納されることから、かかる状態にあっては、円錐コイルばね１６，１８に収納容積を小さくすることができ、これによってカートリッジの収納数が増加しても、カートリッジの収納効率を高めることが可能となり、同時にマガジン本体１１の小型化を可能とする従来にない優れたカートリッジ収納マガジンを得ることができる。
【００５２】
ここで、上記図１乃至図６に開示した第１実施形態にあっては、２個のカートリッジＫ１，Ｋ２を収納することを前提としたので、円錐コイルばねとして二個の円錐コイルばね１６，１８を同一中心線Ｌ上に縦列に配設した場合を例示したが、１個のカートリッジＫ１を収納する形態のものである場合には、マガジン本体１１を単一のカートリッジＫ１に合わせた大きさとすると共に、上述した第２の各円錐コイルばね１８および中継押圧部材１７を省略した構造としてもよい。
【００５３】
このようにしても、図１乃至図６の場合と同等の収納効率が改善されたカートリッジ収納マガジンを得ることができる。
【００５４】
〔第２の実施形態〕
上記図１乃至図６に開示した第１実施形態にあっては、２個のカートリッジＫ１，Ｋ２を収納することを前提としたので、円錐コイルばねとして二個の円錐コイルばね１６，１８を同一中心線Ｌ上に縦列に配設した場合を例示した。これに対して、本第２の実施形態では、図７に示すように、３個のカートリッジＫ１，Ｋ２，Ｋ３を収納するように構成した点に特徴を有する。
【００５５】
即ち、本第２の実施形態にあっては、前述したマガジン本体１１を３個のカートリッジＫ１，Ｋ２，Ｋ３を縦列に収納を可能とした大きさにすると共に、上述した第１実施形態における第２の各円錐コイルばね１８および中継押圧部材１７と同等のものを、更にもう一組増設して縦列に配置するように構成とした。
【００５６】
この図７において、符号２１は第３の円錐コイルばねを示し、符号２２は第２の中継押圧部材を示す、この第２の中継押圧部材２２は前述した中継押圧部材１７と全く同一に形成されている。その他の構成は前述した第１実施形態と同等となっている。
【００５７】
このようにしても、前述した第１実施形態と同等の作用効果を有し、三個の各円錐コイルばね１６，１８，２１が有効に機能して三個のカートリッジＫ１ ，Ｋ２ ，Ｋ３を図１乃至図６の場合と同等に効率よく収納し、必要に応じてなされる外部への送出も、前述した第１実施形態と同様に迅速になし得るという利点がある。
【００５８】
〔第３の実施形態〕
本発明にかかるカートリッジ収納マガジンの第３実施形態を、図８乃至図１０に基づいて説明する。
【００５９】
この図８乃至図１０に示す第３実施形態は、前述した第１実施形態において、図１乃至図６に示す第１の円錐コイルばね１６に代えて、図９に示すように併設された二個の円錐コイルばね１６Ａ，１６Ｂにより構成した点に特徴を有する。この二個の円錐コイルばね１６Ａ，１６Ｂは、本実施例ではそれぞれ前述した第１の円錐コイルばね１６と同一のものが使用されているが、バネ力については第１の円錐コイルばね１６のバネ力よりも小さいバネ力の円錐コイルばね１６Ａ，１６Ｂとしてもよい。
【００６０】
ここで、この二個の円錐コイルばね１６Ａ，１６Ｂは、マガジン本体１１の前述した中心線に対して線対称の位置に所定間隔を隔てて配設されている。この場合、二個の円錐コイルばね１６Ａ，１６Ｂは、前述した第１の円錐コイルばね１６の場合と同様に、それぞれ深部背面板１１Ａに各円錐コイルばね１６の一端部である大円部を係止するための凹部１１Ａｂ，１１Ａｃが設けられ、この各１１Ａｂ，１１Ａｃ内に、対応する各円錐コイルばね１６Ａ，１６Ｂの大円部側が図示しない係止機構によって固着されている。
【００６１】
又、前述した中継押圧部材１７の前述した深部背面板１１Ａに対向する面には、前述した第１の円錐コイルばね１６の場合と同様に、それぞれ各円錐コイルばね１６Ａ，１６Ｂの他端部である小円部を係止するための小凹部１７ａｂ，１７ａｃが設けられ、この各小凹部１７ａｂ，１７ａｃ内に、当該各円錐コイルばね１６Ａ，１６Ｂの小円部側が図示しない係止部材によって固着係止されている。
これにより、当該各円錐コイルばね１６Ａ，１６Ｂはその両端部が深部背面板１１Ａとこれに対向する中継押圧部材１７とによって保持され安定した状態で当該中継押圧部材１７に対して所定の押圧動作を実行し得るようになっている。
【００６２】
この二個の各円錐コイルばね１６Ａ，１６Ｂは、本第３実施形態では図１（第１実施形態）に開示した第１の円錐コイルばね１６を構成する単一の円錐コイルばねと同等のものが使用されているが、圧縮時の反力が前述した図１における第１の円錐コイルばね１６よりも小さいものであってもよい。又、個数については三個の円錐コイルばねを併設する構成としてもよい。
その他の構成は前述した第１実施形態の場合と同一となっている。
【００６３】
このようにしても、前述した第１実施形態の場合と同等の作用効果を有するほか、更に二個の各円錐コイルばね１６Ａ，１６Ｂによって前述した中継押圧部材１７を安定した状態で押圧することができ、当該中継押圧部材１７および前述した第２の円錐コイルばね１８を介してカートリッジＫ１ ，Ｋ２ との間でなされる押圧動作を安定した状態で繰り返し実行することができるという利点がある。
【００６４】
〔第４の実施形態〕
本発明にかかるカートリッジ収納マガジンの第４実施形態を、図１１に基づいて説明する。
【００６５】
まず、前述した図１乃至図６の第１実施形態では、第１及び第２の各円錐コイルばね１６，１８は、その大円部側（一端部）をマガジン本体１１の深部背面板１Ａ側に向けて配置すると共に、その小円部側（他端部）を前記カートリッジ側に向けてそれぞれ前記マガジン本体内にそれぞれ順方向に配置した場合を開示した。
【００６６】
これに対して、本第４の実施形態では、第１及び第２の各円錐コイルばね１６，１８の装備の仕方を、前述した第１実施形態の場合とは逆の向き（逆方向）とした点に特徴を有する。
即ち、本第４の実施形態では、図１１に示すように、第１及び第２の各円錐コイルばね１６，１８の小円部側である他端部をマガジン本体１１の深部背面板１Ａ側に向けて配置すると共に、その大円部側である各一端部を前記中継押圧部材１７側に向けてそれぞれ前記マガジン本体１１内に配置する。
【００６７】
ここで、符号１Ａｅは、第１の円錐コイルばね１６の他端部（小円部）を係止するために深部背面板１Ａに形成され小凹部を示す。又、符号１７ｅは、第１の円錐コイルばね１６の一端部（大円部）を係止するために中継押圧部材１７に形成され大凹部を示す。これにより、第１の円錐コイルばね１６は、図１１に示すように前述した第１実施形態の場合とは逆向きに装備される。
【００６８】
更に、符号１７ｆは、第２の円錐コイルばね１８の他端部（小円部）を係止するために中継押圧部材１７に形成され小凹部を示す。更に、符号１９ｅは、第２の円錐コイルばね１８の一端部（大円部）を係止するためにカートリッジ押圧部材１９に形成され大凹部を示す。これにより、第２の円錐コイルばね１８は、図１１に示すように前述した第１実施形態の場合とは逆向きに装備される。
その他の構成は、前述した第１実施形態と同一となっている。
【００６９】
このようにしても、前述した第１実施形態と同等の作用効果を備えたカートリッジ収納マガジンを得ることができる。
【００７０】
〔第５の実施形態〕
本発明にかかるカートリッジ収納マガジンの第５実施形態を、図１２に基づいて説明する。
【００７１】
この第５の実施形態は、前述した図１乃至図６に示す第１の実施形態において、第１の円錐コイルばね１６を、図１２に示すように、前述した図１乃至図６の場合とは逆の向きに装備した点に特徴を有する。
【００７２】
即ち、本第５の実施形態では、図１２に示すように、第１の円錐コイルばね１６の小円部側（他端部）をマガジン本体１１の深部背面板１Ａ側に向けて配置すると共に、その大円部側（一端部）を前記カートリッジＫ１側に向けてマガジン本体１１内に配置した。
【００７３】
ここで、符号１Ａｅは、第１の円錐コイルばね１６の他端部（小円部）を係止するために深部背面板１Ａに形成され小凹部を示す。又、符号１７ｅは、第１の円錐コイルばね１６の一端部（大円部）を係止するために中継押圧部材１７に形成され大凹部を示す。これにより、第１の円錐コイルばね１６は、図１２に示すように前述した第１実施形態の場合とは逆向きの装備が可能となる。
【００７４】
これにより、第１，第２の各円錐コイルばね１６，１８は、その大円部側である一端部側が中継押圧部材１７を介して連接した状態に設定されている。
その他の構成は、前述した第１実施形態の場合と同一となっている。
【００７５】
このようにしても、前述した第１実施形態と同等の作用効果を備えたカートリッジ収納マガジンを得ることができる。
【００７６】
〔第６の実施形態〕
本発明にかかるカートリッジ収納マガジンの第６実施形態を、図１３に基づいて説明する。
【００７７】
この第６の実施形態は、前述した図１乃至図６に示す第１の実施形態において、第２の円錐コイルばね１８を、図１３に示すように、前述した図１乃至図６の場合とは逆の向きに装備した点に特徴を有する。
【００７８】
即ち、本第６の実施形態では、図１３に示すように、第２の円錐コイルばね１８の小円部側（他端部）を中継押圧部材１７に向けて配置すると共に、その大円部側（一端部）を前記カートリッジＫ１側に向けてマガジン本体１１内に配置した。
【００７９】
ここで、符号１７ｆは、第２の円錐コイルばね１８の他端部（小円部）を係止するために中継押圧部材１７に設けられた小凹部を示す。又、符号１９ｅは、第２の円錐コイルばね１８の一端部（大円部）を係止するためにカートリッジ押圧部材１９に形成され大凹部を示す。これにより、第２の円錐コイルばね１８は、図１１に示すように前述した第１実施形態の場合とは逆向きに装備される。
このため、第１，第２の各円錐コイルばね１６，１８  は、その小円部側である他端部側が中継押圧部材１７を介して連接した状態に設定されている。
その他の構成は、前述した第１実施形態と同一となっている。
【００８０】
このようにしても、前述した第１実施形態と同等の作用効果を備えたカートリッジ収納マガジンを得ることができる。
【００８１】
〔その他の実施形態〕
上述したように、図８乃至図１０に示す第３の実施形態は、第１実施形態（図１乃至図６）に示す第１の円錐コイルばね１６に代えて、併設された二個の円錐コイルばね１６Ａ，１６Ｂにより構成した点に特徴を有する（図９参照）。
【００８２】
そして、この第３の実施形態（図８乃至図１０）にあって、前述した図９に示す二個の円錐コイルばね１６Ａ，１６Ｂと第２の円錐コイルばね１８との組合せについても、上述した第４乃至第６の各実施形態の場合と同様に、その各向きをそれぞれ逆方向に配設し、或いは二個の円錐コイルばね１６Ａ，１６Ｂの組の各円錐コイルばねと第２の円錐コイルばね１８の各一端部（又は他端部）を中継押圧部材１７を介して突き合わせる方向にそれぞれ配設し、これによって、それぞれが前述したカートリッジＫ１，Ｋ２を同時に係止し又は解放するように構成してもよい。
このようにしても、それぞれ、前述した第３実施形態と同等の作用効果を備えたカートリッジ収納マガジンを得ることができる。
【００８３】
又、本発明にあっては、中継押圧部材１７と円錐コイルばね１８との組合せを縦列方向に複数装備することが可能であることから、カートリッジを４段以上に収納可能なカートリッジ収納マガジンを得ることができるという利点がある。
【００８４】
更に、図９に示すように、例えば円錐コイルばね１６Ａ，１６Ｂを他の円錐コイルばね１８の収縮時に重ならないように配置することにより、中継押圧部材（第１の補助板）１７の厚みをカートリッジ押圧部材（第２の補助板）１９と同様に薄くすることができ、このようにすると、カートリッジの収納効率をさらに上げる効果が得られる。
【産業上の利用可能性】
【００８５】
本発明はカートリッジ収納マガジンに縦列方向に一又は２以上のカートリッジを縦列して収納する薄型のマガジンについての構造であるが、収納効率の向上を図り且つ薄型構造であるという特徴を有することから、同系等の偏平型のメモリ機器を縦列して収納する他のディジタル系のメモリ用収納機器のほか、他の偏平型部材の収納用としても利用することができ、その汎用性は大きいものがある。
【符号の説明】
【００８６】
１１  マガジン本体
１１Ａ  深部背面板
１１Ｃｅ，１１Ｃｆ  ガイド溝（凹状案内溝）
１２  カートリッジ押出機構
１５  ばね機構部
１６，１６Ａ，１６Ｂ，１８  円錐コイルばね
１７  中継押圧部材
１７ｅ，１７ｆ，１９ｅ，１９ｆ  角形状の係合突起部（角形突起）
１９  カートリッジ押圧部材
２０  カートリッジ係止機構
Ｌ    中心線
Ｋ１，Ｋ２，Ｋ３  カートリッジ
【図１】
2010211890.tif 000003
【図２】
2010211890.tif 000004
【図３】
2010211890.tif 000005
【図４】
2010211890.tif 000006
【図５】
2010211890.tif 000007
【図６】
2010211890.tif 000008
【図７】
2010211890.tif 000009
【図８】
2010211890.tif 000010
【図９】
2010211890.tif 000011
【図１０】
2010211890.tif 000012
【図１１】
2010211890.tif 000013
【図１２】
2010211890.tif 000014
【図１３】
2010211890.tif 000015
【図１４】
2010211890.tif 000016
【図１５】
2010211890.tif 000017
【図１６】
2010211890.tif 000018
【図１７】
2010211890.tif 000019